(57)【要約】【課題】  垂直方向の表示領域が狭くなること無く、アンダースキャン時における受像管の蛍光面の輝度段差の発生を抑制する。【解決手段】  アスペクト比が異なり、アンダースキャンによりカラーＣＲＴ１１にその映像を表示する場合には、マイコン１６は同期分離回路４で分離された水平同期信号ＨＤ及び垂直同期信号ＶＤに同期して、色色復調回路５における垂直ブランキング信号の垂直ブランキング期間を短く設定して、垂直方向の表示領域を広げた状態にして、垂直ブランキングの開始位置と終了位置とを長時間の周期でゆっくりと変化させることにより、垂直方向の表示領域が狭くなること無く、アンダースキャン時における受像管の蛍光面の輝度段差の発生を抑制する。【選択図】  図１
2005197838.tif 000002
【特許請求の範囲】
【請求項１】
受像管の蛍光面のアスペクト比に対しアンダースキャン動作時、垂直方向における映像信号の表示領域を拡大する表示領域設定手段と、
前記表示領域設定手段により垂直方向に拡大された前記表示領域の状態において垂直ブランキング開始位置及び垂直ブランキング終了位置を長時間において繰り返し変更する垂直ブランキング位置変更手段と、
を具備したことを特徴とする受像管を用いた表示装置。
【請求項２】
前記垂直ブランキング位置変更手段は、前記表示領域における垂直方向に拡大された範囲内において、前記垂直ブランキング開始位置及び垂直ブランキング終了位置を略同期して変化させることを特徴とする請求項１に記載の受像管を用いた表示装置。
【請求項３】
前記垂直ブランキング位置変更手段は、前記表示領域における垂直方向に拡大された範囲内において、前記垂直ブランキング開始位置及び垂直ブランキング終了位置を略同期して、前記表示領域を増加、又は減少させるように変化させることを特徴とする請求項１に記載の受像管を用いた表示装置。
【請求項４】
前記垂直ブランキング位置変更手段は、前記表示領域における垂直方向に拡大された範囲内において、前記垂直ブランキング開始位置及び垂直ブランキング終了位置を略同期して、前記表示領域を前記垂直方向に移動させるように変化させることを特徴とする請求項１に記載の受像管を用いた表示装置。
【請求項５】
前記垂直ブランキング位置変更手段は、前記表示領域における垂直方向に拡大された範囲内において、前記垂直ブランキング開始位置及び垂直ブランキング終了位置を、水平ラインの自然数倍のステップで変化させることを特徴とする請求項１に記載の受像管を用いた表示装置。
【発明の詳細な説明】
【技術分野】
【０００１】
本発明は、受像管の蛍光面のアスペクト比に対し、アンダースキャン時における長時間の映像表示における蛍光体の発光輝度の段差発生を抑制する、受像管を用いた表示装置に関する。
【背景技術】
【０００２】
一般に、受像管は、テレビジョン受像機、パーソナルコンピュータ等の電子機器における表示装置として広く採用されている。  
受像管の蛍光面のアスペクト比に対しアンダースキャン動作にすると、蛍光面の中央部に電子ビームが集中する。受像管の蛍光体の発光輝度は、電子ビームの照射時間の経過により低下するため、長時間アンダースキャン動作を継続すると走査領域の蛍光体の発光輝度が非走査領域に対し下がる。  
このため、長時間アンダースキャン動作を継続した後に、ジャストスキャンあるいはオーバースキャン動作に移行すると、受像管の蛍光面の中央部分は、蛍光体の発光輝度が低下している為、アンダースキャン動作時の映像表示領域と非表示領域の境界線か輝度段差として見える。
【０００３】
このため、従来の受像機においては、受像管の蛍光面のアスペクト比に対し、アンダースキャン動作時、偏向回路に供給する同期信号の位相を制御することにより、受像管の蛍光面上に表示される映像の位置を変えていた。これにより、長時間アンダースキャン動作を継続しても、受像管の蛍光面上の映像表示と非表示の境界線が変化する為、受像管蛍光面の輝度段差の発生を抑制することが出来る。  
図６は、このような処理を行う従来例における主要部の構成を示す。図示しないフロントエンドプロセッサ側の同期分離回路により分離された垂直同期信号ＶＤは、ＵＰ−ＣＯＮＶ（倍速処理部）５１に入力され、プログレッシブ表示等、必要に応じて倍速処理された後、ＢＥＰ（バックエンドプロセッサ）５２に入力される。  
バックエンドプロセッサ５２により入力信号にロックする処理等を行われた垂直同期信号ＶＤは、Ｖ−Ｐｈａｓｅ（垂直位相制御回路）５３を経てＤＥＦ／ＣＯＮＶ（偏向回路）側に出力される。
【０００４】
このＶ−Ｐｈａｓｅ（垂直位相制御回路）５３に入力される垂直同期信号ＶＤは、図示しないマイクロコンピュータ等によりＩＩＣ−ＢＵＳを経てＩ／Ｏ  ＥＸＰ（入出力エクスパンダ）５４に入力される制御信号により垂直同期信号の位相が制御される。  
この従来例の場合には、垂直同期回路に供給する同期信号の位相を変化させるため、受像管の蛍光面には、図７に示すようにアンダースキャンの表示領域Ｄｂに映像が表示される。なお斜線部分は、既存の垂直ブランキング期間による非表示領域となる。  
この場合、垂直同期信号の位相を変化さえるため、表示領域における丸で示す映像部分も変化してしまう。また、この従来例においては、Ｖ−Ｐｈａｓｅ（垂直位相制御回路）５３及びＩ／Ｏ  ＥＸＰ（入出力エクスパンダ）５４が必要になるため、コストアップになってしまう。
【０００５】
また、他の従来例として、特開平７−４６５１０号公報に開示された例がある。この従来例においては、図６に示した従来例と同様に垂直同期信号を長周期で繰り返し変更する開示の他に、垂直ブランキング期間を長周期で繰り返し変更するものを開示している。
【特許文献１】特開平７−４６５１０号公報
【発明の開示】
【発明が解決しようとする課題】
【０００６】
特開平７−４６５１０号公報に開示された従来例は、単に垂直ブランキング期間の長さを長周期で繰り返し変更するのもであるため、垂直ブランキング期間を長くした場合には、通常表示されるべき垂直方向の表示領域が狭くなってしまい、画像が画面一杯に表示された場合には垂直方向における上端或いは下端の一部が欠けて表示されてしまう欠点がある。
【０００７】
（発明の目的）
本発明は、上述した点に鑑みてなされたもので、垂直方向の表示領域が狭くなること無く、長時間アンダースキャン動作を継続しても、受像管の蛍光面の輝度段差の発生を抑制することができる、受像管を用いた表示装置を提供することを目的とする。  
また、本発明は、簡単かつ低コストで実現でき、既存の垂直方向の表示領域が狭くなること無く、長時間アンダースキャン動作を継続しても、受像管の蛍光面の輝度段差の発生を抑制することができる受像管を用いた表示装置を提供することを目的とする。
【課題を解決するための手段】
【０００８】
本発明の受像管を用いた表示装置は、受像管の蛍光面のアスペクト比に対しアンダースキャン動作時、垂直方向における映像信号の表示領域を拡大する表示領域設定手段と、
前記表示領域設定手段により垂直方向に拡大された前記表示領域の状態において垂直ブランキング開始位置、終了位置を長時間において繰り返し変更する垂直ブランキング位置変更手段と、
を具備したことを特徴とする。  
上記構成により、垂直方向に拡大された表示領域において垂直ブランキング開始位置、終了位置を長時間において繰り返し変更することにより、垂直ブランキング開始位置、終了位置が変化しても、少なくとも通常表示されるべき垂直方向の表示領域に画像を表示できる状態を確保して、受像管の蛍光面の輝度段差の発生を抑制することができるようにしている。
【発明の効果】
【０００９】
本発明によれば、垂直方向に拡大された表示領域において垂直ブランキング開始位置、終了位置を所定のタイミングで変更することにより、垂直ブランキング開始位置、終了位置が変化しても、少なくとも通常表示されるべき垂直方向の表示領域に画像を表示できる状態を確保して、受像管の蛍光面の輝度段差の発生を抑制することができる。
【発明を実施するための最良の形態】
【００１０】
以下、図面を参照して本発明の実施例を説明する。  
【実施例１】
【００１１】
図１ないし図５は本発明の実施例１に係り、図１は本発明の実施例１のテレビジョン受像機の全体構成を示し、図２は、垂直同期信号が付加された３原色信号の１つとその場合の垂直偏向信号を示し、図３は本実施例におけるアンダースキャン時における受像管（カラーＣＲＴ）による映像表示の様子を示し、図４は本実施例による垂直ブランキング期間を変更することにより輝度段差の発生を防止する処理内容を示し、図５は図４の変形例における処理内容を示す。  
図１では、本発明の受像管を用いた表示装置をテレビジョン受像機に適用した例を示している。テレビジョン受像機１、（以下、単に受像機１と略記）は、チューナ２を有し、このチューナ２により選局されたチャンネルの高周波信号が取り出され、中間周波信号に変換される。
【００１２】
なお、本実施例におけるチューナ２等は、４：３のアスペクト比の通常のＮＴＳＣ方式のテレビジョン放送と、１６：９のアスペクト比のテレビジョン放送、具体的には高品位テレビジョン（ハイビジョン）放送とに対応可能なものである。  
上記チューナ２から出力される中間周波信号は、映像増幅回路３により増幅された後、さらに映像検波されて、同期分離回路４と色復調回路５とに入力される。  
同期分離回路４は、カラーテレビ信号から水平同期信号ＨＤと垂直同期信号ＶＤを抽出し、抽出された水平同期信号ＨＤと垂直同期信号ＶＤは、倍速処理回路６に入力される。  また、色復調回路５は、入力されるカラーテレビ信号から復調処理を行い、色差信号を生成し、生成された色差信号は、倍速処理回路６に入力される。
【００１３】
この倍速処理回路６は、プログレッシブ表示対応のテレビジョン受像機１の場合には、ＮＴＳＣ方式のテレビジョン放送を受信時には、倍速スキャンの処理を行い、この倍速処理回路６により水平方向の走査が倍速化された色差信号は、原色出力回路７に入力される。  
また、同期分離回路４の水平同期信号ＨＤ及び垂直同期信号ＶＤも倍速処理回路６に入力され、色差信号の場合と同様に、色差信号が倍速化される場合には、水平同期信号ＨＤも、倍速化される。  
倍速処理回路６から出力される水平同期信号ＨＤ′及び垂直同期信号ＶＤは、それぞれ水平偏向回路８及び垂直偏向回路９に入力され、水平偏向回路８及び垂直偏向回路９は、それぞれ水平同期信号ＨＤ′及び垂直同期信号ＶＤに同期した鋸歯状の水平偏向信号及び垂直偏向信号を生成し、生成された水平偏向信号及び垂直偏向信号をカラー受像管としてのカラーブラウン管（以下、カラーＣＲＴと略記）１１の偏向ヨーク１２に出力する。
【００１４】
上記原色出力回路７に入力された色差信号は、マトリックス回路により構成される原色出力回路１３によって３原色信号に変換された後、３原色信号が、ＣＲＴドライブ回路１４に出力される。  
このＣＲＴドライブ回路１４は、入力される３原色信号をそれぞれ増幅してカラーＣＲＴ１１の赤、緑、青の電子銃を構成する各カソードに印加する。そして、このカソードに印加される３原色信号のレベルに応じた電子ビームは、上記水平偏向信号及び垂直偏向信号により、水平方向及び垂直方向に磁気的に偏向され、カラーＣＲＴ１１の赤、緑、青の蛍光面にそれぞれ照射され、赤、緑、青でそれぞれ発光し、テレビジョンカメラにより撮像されたカラー画像が再生される。
【００１５】
また、この受像機１は、ＮＴＳＣ方式のテレビジョン信号を受信して、縦横の画像表示サイズが４：３のアスペクト比に設定されているカラーＣＲＴ１１に通常のオーバースキャンにより蛍光表示面（蛍光面或いは表示面と略記）の縦横の画面一杯に標準の走査線数（５２５本）における有効走査線数の映像を表示できるように設定されると共に、ハイビジョン信号を受信した場合には、表示サイズを１６：９のアスペクト比を保つように、水平方向には画面一杯に、一方縦方向には走査線数（１１２５本）における有効走査線数に相当する表示領域を狭くして映像を表示できるようにアンダースキャンを行うようにしている。  
なお、後述するようにこの有効走査線数の映像を表示する表示領域を既存の表示領域Ｄｂとして、本実施例においてはこの表示領域Ｄｂの走査線数の上下の走査線数を表示できるように表示領域を拡大した拡大表示領域Ｄａを基準の表示領域とする。
【００１６】
なお、ＮＴＳＣのテレビジョン信号の場合には、４：３のアスペクト比のカラーＣＲＴ１１においては通常表示に対応した垂直ブランキング期間によって、上記のように縦横の画面一杯に表示する。  
この受像機１は、この受像器１内の制御を行うマイクロコンピュータ（以下、マイコンと略記）１６を内蔵しており、本実施例においては、カラーＣＲＴ１１の蛍光面のアスペクト比が４：３に設定されているので、アスペクト比が１６：９のハイビジョン信号を受信した場合には、前述したように縦方向に狭くした表示領域においてハイビジョン信号の映像を表示するため、垂直偏向回路９にアンダースキャン用の制御信号を送る。
【００１７】
垂直偏向回路９は、マイコン１６から制御信号が入力されると、アンダースキャン用の垂直偏向信号を発生し、アンダースキャン用の垂直偏向信号が、偏向ヨーク１２に出力される。この場合には、電子ビームは、ＮＴＳＣの場合に比べて垂直方向のスキャン幅が狭くなる。より具体的には、カラーＣＲＴ１１の縦方向の表示サイズの上側及び下側を１／８程度づつ、合わせて１／４程度狭くすることにより、１６：９のアスペクト比でハイビジョン信号の映像を表示する。  
本実施例においては、輝度段差の発生を抑制するために、予め垂直方向の表示領域を既存の表示領域Ｄｂ（図３参照）よりも拡大する。  
このために、マイコン１６は、同期分離回路４により生成された水平同期信号ＨＤ及び垂直同期信号ＶＤを取り込み、内部のカウンタ回路により例えば垂直同期信号ＶＤの期間内における水平同期信号ＨＤの数を計数することにより、現在入力されているテレビジョン信号がＮＴＳＣ方式かハイビジョン方式かの判断を行う。なお、両方式とも垂直同期信号ＶＤは殆ど同じであるが、水平同期信号の周期は、前者が１５．７５ｋＨｚ、後者が３３．７５ｋＨｚであるので、簡単に判別ができる。
【００１８】
この判別結果により、垂直偏向回路９に対してアンダースキャン用の制御信号を送り、アンダースキャン用の垂直偏向信号を発生させると共に、例えば色復調回路５に接続された垂直ブランキング信号生成回路に対して、その垂直ブランキング信号生成回路から出力される標準の垂直ブランキング信号にその極性と逆にパルス信号を付加する等して、その標準の垂直ブランキング信号の垂直ブランキング期間の幅を、例えばリミット値だけ前後に短くした垂直ブランキング信号（これを例えば基準の垂直ブランキング信号という）を色差信号に挿入（合成）する。  
そして、この基準の垂直ブランキング信号が挿入された色差信号を後段側の回路を経て図２（Ａ）にその１つの信号成分を示す３原色信号としてカラーＣＲＴ１１に印加し、その蛍光面に対応する映像を表示させることにより、図３の２点鎖線で示す既存のアンダースキャン時の垂直方向の既存の表示領域Ｄｂよりも垂直方向に少し広い拡大表示領域Ｄａに映像を表示できるようにする。
【００１９】
つまり、この表示状態では、既存のアンダースキャン時の映像表示を確保し、さらに垂直方向に少し余分な映像を表示する。このように、垂直方向に表示領域を拡大することにより、実際に放送局側から送信される映像を全て表示しないで、実効走査線数或いは有効走査線数で表示する既存の表示領域Ｄｂよりも広い表示状態で表示する。  
また、マイコン１６は、このように既存の表示領域Ｄｂを確保した状態において、水平同期信号ＨＤに同期して、水平ラインの自然数倍をステップ幅（図４のフローチャートでは可変ステップΔ）として垂直ブランキング開始位置及び垂直ブランキング終了位置（以下、垂直ブランキング開始／終了位置等と略記）をゆっくりと変化させるようにする。    後述する図４のフローチャートで説明するように、長い時間でゆっくりと垂直ブランキング開始／終了位置（或いは垂直ブランキング期間）を変更することにより、拡大表示領域Ｄａから表示領域Ｄｂまでの表示領域を使って映像表示を行うことにより輝度段差等の発生を抑制する。なお、本実施例においては、垂直ブランキング開始或いは終了位置に可変ステップΔ加算した場合には、垂直ブランキング期間が長くされるとして説明する。    この場合の３原色信号に付加された垂直ブランキング信号と垂直偏向信号は、図２のようになる。
【００２０】
ＣＲＴドライブ回路１４からその１つの信号成分を図２（Ａ）に示すように、３原色信号がＣＲＴ１１に出力され、また垂直偏向回路９からは図２（Ｂ）に示す垂直偏向信号が出力される。  
３原色信号の各信号成分には、図２（Ａ）に示すように垂直ブランキング信号Ｓｖが付加されており、本実施例においては、この垂直ブランキング信号Ｓｖの期間、つまり垂直ブランキング期間をＴａからＴｂまでゆっくりと変化させる。  
図２（Ａ）に示すように、拡大表示領域Ｄａの場合に対応する垂直ブランキング期間Ｔａは、垂直ブランキング期間Ｔｂにおいて、その垂直ブランギングの開始位置と終了位置とをそれぞれ後、前に時間幅Ｌだけずらして短い時間幅にしたものとなっている。この時間幅Ｌだけ広くした垂直ブランキング期間Ｔａは、垂直偏向信号の鋸歯状の３角波の立ち上がりと立ち下がりから例えばｅとなる短い時間幅のみずれたタイミングに同期する。
【００２１】
そして、図３における拡大表示領域Ｄａにおける上端が、上記垂直ブランキング終了位置に対応し、下端が垂直ブランキング開始位置に対応する。  
そして、この状態からマイコン１６は、所定時間の経過毎に、上記色復調回路５の垂直ブランキング信号生成回路に対して１水平ライイン（１ラインと略記）から数ライン分の可変ステップΔだけ垂直ブランキング期間を長くするなどして垂直ブランキング期間をゆっくりと変更することによって、蛍光面の輝度段差の発生や“焼き付け現象”の発生を防止する。また、可変ステップΔだけ垂直ブランキング期間を変化させるタイミングは、水平同期信号ＨＤに同期して、例えば水平ブランキング期間に同期させて行う。  
なお、図３における斜線部分は垂直ブランキング期間における映像が表示されないで黒く表示される。また、点線の斜線部分が、垂直ブランキング期間の変化により映像の表示領域になったり、映像が表示されないで黒く表示される範囲（領域）となる。
【００２２】
このように本実施例においては、垂直ブランキング期間を変化させても、その場合の映像の表示領域は、常時既存の表示領域Ｄｂを含み、従って既存の表示領域Ｄｂを変化させない、換言すると、既存の表示領域における映像を確保する。  
次に本実施例によるアンダースキャン時に、蛍光面の輝度段差の発生を防止して映像表示を行う動作を図４のフローチャートを参照して説明する。  
ステップＳ１に示すように受像機１の電源スイッチの操作により電源オン（電源投入）が行われると、受像機１の各回路は動作状態となり、テレビジョン信号を受信する。その場合、マイコン１６は、同期分離回路４から入力される水平同期信号ＨＤを計数して、その計数結果に応じて垂直偏向回路９の垂直偏向信号のスキャン範囲を設定する。また、このマイコン１６は、ステップＳ２に示すようにその計測結果からアンダースキャンに設定（或いは選択）されているかの判断を行う。
【００２３】
ステップＳ２の判断結果により、アンダースキャンの設定でない場合、つまりＮＴＳＣのテレビジョン信号の場合には、ステップＳ３に示すように表示される映像は、通常表示時（オーバースキャン）の垂直ブランキング開始／終了位置（垂直ブランキング期間）で表示される。この表示の後には（つまり電源をオフにする操作が行われるとその直前に）ステップＳ４に示すようにアンダースキャン時の基準となる垂直ブランキング開始／終了位置に設定する処理が行われて電源がオフにされる。  
一方、ステップＳ２の判断によりハイビジョン信号と判断された場合には、表示される映像は、通常表示の垂直ブランキング期間よりも長い期間にされたアンダースキャン用の基準となる垂直ブランキング開始／終了位置（垂直ブランキング期間）で表示する。
【００２４】
この表示状態は、図３にける拡大表示領域Ｄａとなる。そして、この状態からマイコン１６は、内部のタイマを起動し、時間経過を計測する。そして、所定時間が経過すると、ステップＳ５に進み、このステップＳ５に示すようにアンダースキャン時の基準となる垂直ブランキング開始／終了位置に、１〜数ライン分の可変ステップΔを加算した状態ａで表示する。この場合には、図３の拡大表示領域Ｄａから可変ステップΔだけ、垂直ブランキング期間を長くする。  
従って、拡大表示領域Ｄａの場合よりも僅かに狭くした表示領域において映像を表示することになる。
【００２５】
この状態ａにおいて、例えば通常表示のスイッチ操作等が行われると、ステップＳ６に示すように、アンダースキャンの解除が行われる。つまり、通常表示時の垂直ブランキング期間で映像が表示される。この場合、さらに現在の加算状態ａの情報が、マイコン１６の内部メモリに、例えばラスト状態としてメモリされる。この場合、タイマの時間計測も休止する。  
そして、この通常表示のスイッチ操作の解除或いはアンダースキャン表示の操作等が行われると、ステップＳ７に示すように、再度アンダースキャンが設定（選択）される。この場合、状態ａの状態で映像を表示する。また、タイマによる時間計測の動作も再開する。  
そして、状態ａの表示状態においてタイマにより所定時間経過すると、ステップＳ８に示すようにマイコン１６は、状態ａからさらにブランキング開始／終了位置にΔ加算した状態ｂで映像を表示する。
【００２６】
そして、この状態ｂから所定時間が経過すると、ステップＳ９に示すようにマイコン１６は、この状態における垂直ブランキング開始／終了位置がリミット値を越えるか否かの判断を行う。この判断結果が、リミット値を越えていないと、ステップＳ５或いはＳ６に戻り、その途中のステップＳ１０に記載したように下限リミットに達するまで繰り返す。  なお、この場合の下限リミットは、図３の表示領域Ｄｂかこれよりも僅かに広い表示領域である。  
このようにステップＳ５からＳ１０までの処理を行うことにより、垂直ブランキングの開始／終了位置を拡大表示領域Ｄａから表示領域Ｄｂまでの間でゆっくりと変化させる（この場合には、表示領域の上端と下端とがゆっくりと同期して下側、上側に移動し、表示領域が広い状態から狭い状態にゆっくりと変化する）ことにより、輝度段差の発生等を有効に防止する。
【００２７】
一方、ステップＳ９の判断において、リミット値を越える場合には、ステップＳ１１において、リミット値を越えないように処理した後に、ステップＳ５からＳ１０の処理を逆方向に行うことになる。  
まず、ステップＳ１１において、前の状態ｂの垂直ブランキング開始／終了位置から可変ステップΔ減算した状態ｃで映像表示を行う。そして、この状態ｃにおいて、タイマを起動する。この状態ｃにおいて、例えば通常表示のスイッチ操作等が行われると、ステップＳ１２に示すように、アンダースキャンの解除が行われる。つまり、通常表示時の垂直ブランキング期間で映像が表示される。この場合、さらに現在の減算状態ｃの情報が、マイコン１６の内部メモリに、例えばラスト状態としてメモリされる。この場合、タイマの時間計測も休止する。
【００２８】
そして、この通常表示のスイッチ操作の解除或いはアンダースキャン表示の操作等が行われると、ステップＳ１３に示すように、再度アンダースキャンが設定（選択）される。この場合、状態ｃの状態で映像を表示する。また、タイマによる時間計測の動作も再開する。  
そして、状態ｃの表示状態においてタイマにより所定時間経過すると、ステップＳ１４に示すようにマイコン１６は、状態ｃからさらにブランキング開始／終了位置にΔ減算した状態ｄで映像を表示する。  
そして、この状態ｄから所定時間が経過すると、ステップＳ１５に示すようにマイコン１６は、この状態における垂直ブランキング開始／終了位置がリミット値を越えるか否かの判断を行う。この判断結果が、リミット値を越えていないと、ステップＳ１１或いはＳ１２に戻り、その途中のステップＳ１６に記載したように上限リミットに達するまで繰り返す。
【００２９】
なお、この場合の上限リミットは、例えば図３の拡大表示領域Ｄａに相当する上端及び下端の位置か、これよりもそれぞれ可変ステップΔ分狭い表示領域の端の位置である。    一方、ステップＳ１５の判断において、リミット値を越える場合には、ステップＳ１７において、リミット値を越えないように状態ｄにおける垂直ブランキング開始／終了位置に可変ステップΔ加算した状態で映像を表示する。その後、ステップＳ５或いはステップＳ６に戻り、上述した処理を行うことになる。  
このような処理を行うことにより、垂直ブランキング開始／終了位置を長い周期でゆっくりと、繰り返し行うことにより、長時間アンダースキャン動作を継続しても、蛍光面上の映像表示と非表示の境界線が変化する為、蛍光面の輝度段差等の発生を有効に防止できる。
【００３０】
また、本実施例においては、簡単な構成或いは方法で、蛍光面の輝度段差等の発生を有効に防止できる。また、低コストで実現することができる。  
また、本実施例においては、垂直ブランキング開始／終了位置を変化させる場合、水平同期信号ＨＤに同期させて、その１水平ライン分、或いはその自然数倍の可変ステップΔにより垂直方向に移動させるので、従来例（特開７−４６５１０号公報）のように水平同期信号ＨＤに同期させないで、表示領域の上端或いは下端部分を移動させるような場合に発生する水平ラインの途中位置における映像の一部がぎざぎざに表示されるようなことを確実に解消でき、高品位の表示状態を保つことができる。
【００３１】
図４の動作は、図３における拡大表示領域Ｄａの状態から垂直ブランキング開始位置と終了位置とを同期或いは連動させて可変ステップΔを共に加算して表示領域を狭くしたり、可変ステップΔを減算して表示領域を広くしたりしていた。  
これに対して、垂直ブランキング開始位置と終了位置に対して、同期或いは連動させて可変ステップΔを一方に加算した場合には他方から減算するようにしても良い。  
図５はこの場合の動作を示す。なお、図５の場合には、最初の基準となる垂直ブランキング開始／終了位置は、図３の拡大表示領域Ｄａの下端と表示領域Ｄｂの上端の位置に設定する。
【００３２】
図５のステップＳ１からステップＳ３は図４と同じであり、ステップＳ３の次のステップＳ４′は上記のように図４の場合の基準となる垂直ブランキングの開始／終了位置に設定される。  
そして、ステップＳ１の電源がオンの次のステップＳ２の判断において、マイコン１６によりアンダースキャンと判断された場合には、ステップＳ２５に進む。ステップＳ２５からステップＳ３０までは、図４のステップＳ６からステップＳ１０の処理において、垂直ブランキング開始位置に対しては同様に可変ステップΔ加算する処理を行い、垂直ブランキング終了位置に対しては逆に可変ステップΔ減算する処理を行うようにしている。    より詳しく説明すると、ステップＳ２の判断によりアンダースキャンに設定或いは選択された場合には、ステップＳ４′により設定された基準となる垂直ブランキングの開始／終了位置に設定されて、その状態で映像が表示される。そしてマイコン１６は、タイマを起動する。
【００３３】
一定時間が経過すると、ステップＳ２５に進み、このステップＳ２５に示すようにアンダースキャン時の基準となる垂直ブランキング開始位置に、可変ステップΔ加算、終了位置には可変ステップΔ減算した状態ａで表示する。  
この状態ａにおいて、例えば通常表示のスイッチ操作等が行われると、ステップＳ２６に示すように、アンダースキャンの解除が行われる。つまり、通常表示時の垂直ブランキング期間で映像が表示される。この場合、さらに現在の加算／減算状態ａの情報が、マイコン１６の内部メモリに、例えばラスト状態としてメモリされる。この場合、タイマの時間計測も休止する。  
そして、この通常表示のスイッチ操作の解除或いはアンダースキャン表示の操作等が行われると、ステップＳ２７に示すように、再度アンダースキャンが設定（選択）される。この場合、状態ａで映像を表示する。また、タイマによる時間計測の動作も再開する。
【００３４】
そして、状態ａの表示状態においてタイマにより所定時間経過すると、ステップＳ２８に示すようにマイコン１６は、状態ａからさらにブランキング開始位置にはΔ加算、終了位置にはΔ減算した状態ｂで映像を表示する。  
そして、この状態ｂから所定時間が経過すると、ステップＳ２９に示すようにマイコン１６は、この状態における垂直ブランキング開始／終了位置がリミット値を越えるか否かの判断を行う。この判断結果が、リミット値を越えていないと、ステップＳ２５或いはＳ２６に戻り、その途中のステップＳ３０に記載したようにリミット値に達するまで繰り返す。  
このようにステップＳ２５からＳ３０までの処理を行うことにより、拡大表示領域Ｄａの下端から表示領域Ｄｂの上端までの表示領域が垂直ブランキングの開始／終了位置の変化により上側にゆっくりと変化し、輝度段差の発生等を有効に防止する。
【００３５】
一方、ステップＳ２９の判断において、リミット値を越える場合には、ステップＳ３１において、リミット値を越えないように処理した後に、ステップＳ２５からＳ３０の処理を逆方向に行うことになる。  
まず、ステップＳ３１において、前の状態ｂの垂直ブランキング開始位置から可変ステップΔ減算、終了位置にΔ加算した状態ｃで映像の表示を行う。そして、この状態ｃにおいて、タイマを起動する。この状態ｃにおいて、例えば通常表示のスイッチ操作等が行われると、ステップＳ３２に示すように、アンダースキャンの解除が行われる。つまり、通常表示時の垂直ブランキング期間で映像が表示される。この場合、さらに現在の減算状態ｃの情報が、マイコン１６の内部メモリに、例えばラスト状態としてメモリされる。この場合、タイマの時間計測も休止する。
【００３６】
そして、この通常表示のスイッチ操作の解除或いはアンダースキャン表示の操作等が行われると、ステップＳ３３に示すように、再度アンダースキャンが設定（選択）される。この場合、状態ｃの状態で映像を表示する。また、タイマによる時間計測の動作も再開する。  
そして、状態ｃの表示状態においてタイマにより所定時間経過すると、ステップＳ３４に示すようにマイコン１６は、状態ｃからさらにブランキング開始位置にΔ減算、終了位置にΔ加算した状態ｄで映像を表示する。  
そして、この状態ｄから所定時間が経過すると、ステップＳ３５に示すようにマイコン１６は、この状態における垂直ブランキング開始／終了位置がリミット値を越えるか否かの判断を行う。この判断結果が、リミット値を越えていないと、ステップＳ３１或いはＳ３２に戻り、その途中のステップＳ３６に記載したようにリミット値に達するまで繰り返す。
【００３７】
一方、ステップＳ３５の判断において、リミット値を越える場合には、ステップＳ３７において、リミット値を越えないように状態ｄにおける垂直ブランキング開始位置に可変ステップΔ加算、終了位置にΔ減算した状態で映像を表示する。その後、ステップＳ２５或いはステップＳ２６に戻り、上述した処理を行うことになる。  
このような処理を行うことにより、図４の処理の場合と同様に、垂直ブランキング開始／終了位置を長い周期でゆっくりと、繰り返し行うことにより、長時間アンダースキャン動作を継続しても、蛍光面上の映像表示と非表示の境界線が変化する為、蛍光面の輝度段差等の発生を有効に防止できる。  
このように本実施例によれば、簡単な構成或いは簡単な方法で、蛍光面の輝度段差等の発生を有効に防止できる。また、この場合、映像の上端や下端の途中に映像の一部が不自然に表示されるようなことも防止でき、高画質の状態を保つことができる。
【００３８】
なお、図４或いは図５は、垂直ブランキングの開始及び終了位置の変更を互いに同期（連動）させて変更する代表的な場合を示したものであり、必ずしも同期或いは連動させることが不可欠ではなく、繰り返し行うようにすれば良い。  
上述の説明においては、マイコン１６により、色復調回路５において垂直ブランキング開始及び終了位置を変更するように制御したが、他の回路部分において行うようにしても良い。  
例えば、図１の点線で示すようにマイコン１６からの（水平同期信号ＨＤの計数出力により生成した）パルスを、例えばＣＲＴドライブ回路１４を構成し、垂直ブランキング信号を発生するトランジスタ等に印加して垂直ブランキング期間の開始及び終了位置を変更するようにしても同様の作用効果を有する。  
また、ＣＲＴドライブ回路１４の他に、倍速処理回路６において行うようにしても良いし、原色出力回路７において行うようにしても良い。
【００３９】
また、垂直ブランキング開始位置、終了位置の切替は、受像管の蛍光面のアスペクト比に対しアンダースキャン動作時を行うものであり、この場合主／サブ電源のＯＦＦ／ＯＮに限らず、受像機の入力切替、表示時間の経過によって制御するようにしても良い。  
また、上述の実施例では、チューナ２等を内蔵した受像機１の場合において説明したが、本発明はこれに限定されるものでなく、受像管を用いた表示装置に広く適用できるものである。また、上述の説明は、垂直方向の表示領域を狭くするアンダースキャンの場合において説明したが、水平方向に表示領域を狭くする場合にも、垂直ブランキング開始／終了位置（或いは垂直ブランキング期間）を水平ブランキング開始／終了位置（或いは水平ブランキング期間）と読み替えるとほぼ同様に適用できる。
【産業上の利用可能性】
【００４０】
本発明は、テレビジョン受像機やパーソナルコンピュータ等の電子機器における表示装置として利用できる。
【図面の簡単な説明】
【００４１】
【図１】本発明の実施例１のテレビジョン受像機の全体構成を示すブロック図。
【図２】垂直同期信号が付加された３原色信号の１つとその場合の垂直偏向信号を示す動作説明図。
【図３】本実施例におけるアンダースキャン時における受像管（カラーＣＲＴ）による映像表示の動作説明図。
【図４】本実施例による垂直ブランキング期間を長周期で変更することにより輝度段差の発生を防止する処理内容を示すフローチャート。
【図５】図４の変形例における処理内容を示すフローチャート。
【図６】従来例の受像機における輝度段差を防止する回路周辺部を示すブロック図。
【図７】図６の従来例におけるアンダースキャン時の映像を表示する動作の説明図。
【符号の説明】
【００４２】
１…カラーテレビジョン受像機（受像機）
２…チューナ
３…映像増幅回路
４…同期分離回路
５…色復調回路
６…倍速処理回路
７…原色出力回路
８…水平偏向回路
９…垂直偏向回路
１１…カラーブラウン管（カラーＣＲＴ）
１２…偏向ヨーク
１３…原色出力回路
１４…ＣＲＴドライブ回路
１６…マイクロコンピュータ（マイコン）
Ｄａ…拡大表示領域
Ｄｂ…既存の表示領域
代理人    弁理士    伊藤  進
【図１】
2005197838.tif 000003
【図２】
2005197838.tif 000004
【図３】
2005197838.tif 000005
【図４】
2005197838.tif 000006
【図５】
2005197838.tif 000007
【図６】
2005197838.tif 000008
【図７】
2005197838.tif 000009